(57)【特許請求の範囲】
【請求項１】
上端面が開放されるとともに下端部に開口部が設けられた筒状をしており、水田における作付け面の底面内に垂直状態で配置される外筒と、
この外筒の上端部内に止水状態で上下方向にスライド可能に支持されており、その上端面が、外筒の上端面よりも適当な長さだけ上方に位されるようになった内筒と、
開放状態になった上端面が内筒の上端面よりも上方に位置するように前記外筒および内筒内を垂直状態で挿通しており、その内部を下方から上方に用水が通流する給水管と、
を具備することを特徴とする灌漑用水の水位調整器。
【請求項２】
前記給水管の上端部には、上方になるにつれて順次口径が大きくなった吐出管部が設けられている請求項１に記載の灌漑用水の水位調整器。
【発明の詳細な説明】
【０００１】
【発明の属する技術分野】
本発明は、水田に供給された灌漑用水を一定の水位に調整するために使用される灌漑用水の水位調整器に関する。
【０００２】
【従来の技術】
水田において、作物を良好に生育させるためには、水田に供給される灌漑用水の水位をきめ細かく調整することが重要になる。特に、冷害が発生しやすい寒冷地では、水田に供給された灌漑用水の水位を頻繁に調整して、用水を循環させることにより、灌漑用水が低温化することを防止する必要がある。
【０００３】
従来、水田における灌漑用水の水位は、コンクリート製の排水枡を水田における畦畔近傍の耕地内に埋設して、その排水枡の取水口に設けられた仕切り板を上下方向に移動させることによって調整するようになっている。
【０００４】
また、特開昭４８−１０８４３号公報には、フロート式の水位調整器によって垂直軸回りに開閉されるゲートの開閉を制御することによって、水田内の灌漑水位を自動調整し得るようになった水位の自動調整装置が開示されている。
【０００５】
【発明が解決しようとする課題】
排水枡を使用して水位を調整する場合には、排水枡が、通常、コンクリート製であり、かなりの重量であるために、その設置作業が容易ではないという問題がある。また、重い排水枡が水田の耕地内に埋設されると沈下するおそれがある。排水枡は、畦畔の近傍に設けられているために、その周囲から漏水すると、畦畔が破壊するおそれもある。
【０００６】
さらに、コンクリート製の排水枡が、耕地内に埋設された状態では、トラクターによる整地、田植えや稲刈り時における田植え機や稲刈り機の運転作業に支障を来すおそれもある。
【０００７】
また、排水枡に設けられる仕切り板には水圧が加わっているために、その操作が容易ではなく、仕切り板の操作作業に手間がかかるという問題もある。
【０００８】
特開昭４８−１０８４３号公報に開示された装置は、構成が複雑であって、製造のために多くのコストが必要であり、また、ランニングコストもかかり、一般農家には普及していないのが現状である。
【０００９】
本発明は、このような問題を解決するものであり、その目的は、簡潔な構成であり、容易に設置することができるとともに、水田内の作業に支障を来すおそれのない灌漑用水の水位調整器を提供することにある。
【００１０】
【課題を解決するための手段】
本発明の灌漑用水の水位調整器は、上端面が開放されるとともに下端部に開口部が設けられた筒状をしており、水田における作付け面の底面内に垂直状態で配置される外筒と、この外筒の上端部内に止水状態で上下方向にスライド可能に支持されており、その上端面が、外筒の上端面よりも適当な長さだけ上方に位されるようになった内筒と、開放状態になった上端面が内筒の上端面よりも上方に位置するように前記外筒および内筒内を垂直状態で挿通しており、その内部を下方から上方に用水が通流する給水管と、を具備することを特徴とする。
【００１１】
請求項２に記載の灌漑用水の水位調整器は、前記給水管の上端部には、上方になるにつれて順次口径が大きくなった吐出管部が設けられている。
【００１２】
【実施の形態】
以下、本発明の実施の形態を、図面に基づいて詳細に説明する。
【００１３】
図１は、本発明の水位調整器の実施の形態の一例を示す断面図である。この水位調整器１０は、垂直状態に配置される円筒状の外筒１１を有している。外筒１１は、合成樹脂によって構成されており、その上端面が開放されている。外筒１１の下端部には、側方に向かって水平に突出した流出管部１１ａが設けられており、その先端面が開放された状態になっている。
【００１４】
外筒１１の上端部内には、内筒１２が同心状態で嵌合されている。この内筒１２は、外筒１１の上端部内に設けられたシール部材１４内に、止水状態で上下方向にスライドし得るように垂直状態で支持されている。内筒１２は、シール部材１４内を止水状態で最も上方にスライドした状態では、その上端部が、外筒１１の上端面から適当な長さだけ上方に位置した状態とされる。内筒１２の下端面は、外筒１１の中程に位置している。
【００１５】
外筒１１内には、給水管１３が同心状態で挿通している。この給水管１３の上端面は、内筒１２の上端面よりも上方に位置しており、また、給水管１３の下端部は、外筒１１の流出部１１ａとは反対方向に屈曲して水平方向に延出した流入部１３ａになっている。この流入部１３ａは、外筒１１の下端部の周面を貫通して、外筒１１の外部に延出しており、先端面が開放された状態になっている。流入部１３ａは、外筒１１の流出部１１ａと同様のレベル位置になっている。
【００１６】
内筒１２の上端部から上方に延出した給水管１３の上端部には、吐出管部１５が設けられている。この吐出管部１５は、上側になるにつれて順次口径が大きくなったラッパ状をしており、その下端部が、給水管１３の上端部外周面に、シール部材１６を介して水密状に嵌合されて、垂直状態に支持されている。
【００１７】
このような構成の水位調整器１０は、水田３０の作付け面である底面３１に配置される。水位調整器１０は、外筒１１が、上端部を水田３０の底面３１から上方に突出した状態で、底面３１内に埋設される。従って、外筒１１の上端面は、水田３０の底面３１よりも上方に位置した状態で、水田３０内に開口した状態になる。
【００１８】
水位調整器１０における給水管１３の流入部１３ａには、用水を供給する供給側通水管２１が接続されるようになっており、また、外筒１１の流出部１１ａには、排水側通水管２２が接続されるようになっている。供給側通水管２１および排水側通水管２２は、それぞれ、水位調整器１０が配置された水田３０の底部に、水平状態で埋設される。
【００１９】
供給側通水管２１には、水田３０を灌漑する用水が供給されるようになっており、供給側通水管２１を通して供給される用水は、給水管１３の流入部１３ａを通って、給水管１３内を上方へと通流し、給水管１３の上端部に設けられた吐出管部１５から、周囲に放射状に拡散した状態で吐出される。これにより、水田３０内に用水が供給され、水田３０が灌漑される。
【００２０】
給水管１３から水田３０内に供給される用水は、水田３０内の空気中に吐出されるようになっているために、給水管１３から水田３０内に用水を吐出する際の圧力は小さくてよく、従って、給水管１３を小径にすることができる。
【００２１】
水田３０内に供給された用水の水位は、水田３０の底面３１に設けられた水位調整器によって調整される。水位調整器１０は、内筒１２が、外筒１１に対して上下方向にスライドされ、その上端面位置が水田３０内にて所定の高さ位置に設定される。水田３０内に供給された用水は、内筒１２の上端面よりも水位が高くなると、内筒１２内に流入して、外筒１１の下端部に設けられた流出部１１ａを通って、排水側通水管２２内に供給される。これにより、水田３０内の用水は、内筒１２の上端面に等しい水位に保持される。
【００２２】
水田３０内から外筒１１内に流入した用水は、垂直状態になった外筒１１内を流下して、その下端部の流出部から排出側通水管２２内に排出される。このように、外筒１１内を流下する用水は、直接排出側通水管２２内に流入するために、エネルギーの損失がほとんどなく、排出側通水管２２内を、高い圧力で円滑に流れる。
【００２３】
複数の水田に対する用水の供給および水位の調整は、各水田に水位調整器１０を配置することによって行うことができる。この場合、隣接する各水田にそれぞれ配置された水位調整器１０同士は、例えば、通水管によって連結される。この場合、一方の水位調整器１０の流出部１１ａに、水平状態になった通水管の一方の端部が連結され、他方の水位調整器１０の流入部１３ａに、その通水管の他方の端部が連結される。そして、用水が供給される一方の水位調整器１０から排出される用水が、他方の水位調整器１０における給水管１３を通って、水田３０内に供給される。
【００２４】
各水位調整器１０の流入部１３ａおよび流出部１１ａは、同様のレベルになっているために、平坦地に設けられた複数の水田に対して、同時に用水を供給することができるとともに、各水田に供給された用水の水位も、それぞれ調整することができる。
【００２５】
図２は、本発明の水位調整器１０の実施の形態の他の例を示す断面図である。この水位調整器１０は、給水管１３の下端部が垂直状態になっており、その下端部が外筒１１の下端部を挿通して、外部に延出している。そして、外筒１１の外部に延出した給水管１３の下端部に、垂直状態となった流入部１３ａが設けられている。
【００２６】
また、内筒１２の上端部には、外筒１１の上部を覆う保護筒１７の上端部が取り付けられている。この保護筒１７は、外筒１１の外周面とは適当な間隔をあけて同心状に嵌合されており、外筒１１の上端面と、その上端面および内筒１２の外周面の間とをそれぞれ覆った状態になっている。保護筒１７の上端部は、上側になるにつれて口径が順次小さくなっており、最も口径が小さくなった上端が、内筒１２の上端部外周面に密着した状態で取り付けられている。
【００２７】
保護筒１７は、このように、外筒１１の上方を覆った状態になっているために、外筒１１と内筒１２との間に設けられたシール部材１４が、この保護筒１７によって覆われて保護されている。従って、シール部材１４に、土砂等が付着するおそれがない。
【００２８】
なお、前記各実施の形態においては、給水管１３の上端部に設けられた吐出管部１５は、上方に向かって開口した状態であったが、図３に示すように、側方に向かって開口するように、屈曲した状態になっていてもよい。
【００２９】
【発明の効果】
本発明の灌漑用水の水位調整器は、このように、水田における作付け面の底面に外筒を配置して、その外筒内に支持された内筒を上下方向にスライドさせるという簡単な作業によって、水田の灌漑用水の水位を調整することができ、水位調整のための作業が著しく簡単になる。また、畦畔に配置されないために、畦畔を掘削する必要がなく、畦畔が容易に損傷するおそれがない。さらには、給水管を通して、水田内の上方の空気中に用水を吐出するようになっているために、水田に吐出する用水の圧力を低くすることができ、給水管を小型化することができる。しかも、給水管の上端部に吐出管部が設けられていることにより、吐出管部から吐出される用水は、周囲に放射状に広がった状態になるために、用水の吐出圧力をさらに低減させることができる。
【図面の簡単な説明】
【図１】本発明の灌漑用水の水位調整器の実施の形態の一例を示す断面図である。
【図２】本発明の灌漑用水の水位調整器の実施の形態の他の例を示す断面図である。
【図３】本発明の灌漑用水の水位調整器の実施の形態のさらに他の例を示す断面図である。
【符号の説明】
１０  水位調整器
１１  外筒
１２  内筒
１３  給水管
１４  シール部材
１５  吐出管部
１６  シール部材
１７  保護筒
２１  給水側通水管
２２  排水側通水管
３０  水田
３１  底面
【図１】
0003670426.tif 000002
【図２】
0003670426.tif 000003
【図３】
0003670426.tif 000004